(57)【要約】      （修正有）【課題】動物の状態を遠隔地から監視し、同時にその動物によってもたらされる映像を防犯、救助に役立てるためのカメラ、映像発信機を動物に取り付ける装着具を提供する。【解決手段】装着衣はメリヤス等、伸縮する繊維である。犬の頭頂部にはカメラ３を入れるカメラポケット２が取り付けられる。カメラポケットは本体と共布で作られ、カメラポケットの前部はレンズのみが覗く穴が開けられている。穴はカメラ本体より小さいのでカメラが前方に落ちる事はない。また後部はカメラから出るケーブルを通す穴が開けられる。ケーブルは犬の首から肩を伝わって犬の後方に付けられた送信機８に繋がるが、送信機は犬の肩の部分に付けられた送信機ポケット９に入れられている。送信機ポケットは本体の裏に裏打ちされた布と開口部によって発信機を収納する機能を持つ。装着衣にはさらに犬の左右の前脚をくぐらせる事のできる穴を設けた。【選択図】図１
0003117441.tif 000002
【実用新案登録請求の範囲】
【請求項１】
発信機を設けるとともに、頭頂部にカメラを設けたことを特徴とする動物装着用衣服。
【請求項２】
発信機を装着される動物の前脚肩部分の上部に設けたことを特徴とする請求項１記載の動物装着用衣服。
【考案の詳細な説明】
【技術分野】
【０００１】  常に動物が見るものと同じものを捉えるように取り付けられたカメラの映像が飼い主の携帯電話に無線で送信されるための考案である。
【背景技術】
【０００２】  近年、一人暮らしの人々が動物と同居するケースが非常に増えている。多忙な社会生活において、そのような人々は留守宅に残す自分のペットの安全を心配し、その状況を常に把握することは彼らにとって大きな関心事である。
【考案の開示】
【考案が解決しようとする課題】
【０００３】  ペットとしての動物の行動を監視する目的には室内にカメラを設置する方法があるが、動物は常に移動するので、室内の一部に固定されたカメラでは、その動物の姿を常に捉えることはできない。【０００４】  勿論設置するカメラの数を増やしたり、可動式カメラを設置したりして動物の可視範囲の行動を監視してはいるが、遮断物の陰や他の部屋に移動した動物の姿を撮影することはできない。【０００５】  本考案は部屋に設置するカメラの代わりに、常に動物の行動とともに移動するカメラを動物自体に取り付け、動物の視点を映像で見ることによって動物の現状を把握し飼い主に安心を提供するものである。
【課題を解決するための手段】
【０００６】  上記の問題点を解決するために本考案は成されたものであり、つまり動物に装着する衣服の、頭頂部にあたる部分にはカメラを、前脚肩の上部には発信機を設置して、常に動物の視線をそのままカメラによって映像化し、ケーブルによって繋がれた発信機からの電波を受信する受信機で、遠隔地でもその映像を見ることができる。
【考案の効果】
【０００７】  本考案は、動物の行動を監視するために部屋に設置された固定カメラの代わりに、動物自体にカメラを装着して動物がどこに移動したとしてもが常にその行動を監視することができ、死角によって動物の行動が遮られる可能性のある従来の固定カメラの欠点を補うことで下記に記載の効果を有するものである。【０００８】  従来の固定カメラによる死角を解消し、カメラを動物自体に装着することで常に動物の行動を監視することが効能となる。【０００９】  死角による遮断を解消するための複数のカメラを設置や、可動式カメラの設置は動物の全行動を監視するには大変な経費が必要となるが、本考案のカメラはただ一つでその全ての把握が可能となる。【００１０】  動物の行動を監視する目的ではあるが、動物の視線と常に同じ映像を捉えることができるため、動物が不審物や侵入者を発見した場合その映像により飼い主は警察署や消防署に通報し未然に事件を防ぐことができ、また捜査協力の一旦を担うことができる。
【考案を実施するための最良の形態】
【００１１】  メリヤスのようなストレッチ素材を使用した動物装着用衣服の動物の頭頂部に録音機能付カメラを取り付け、ケーブルで動物の肩上部に設置した発信機収納ポケットの中にある発信機に繋ぎ、映像発信できるようにする。
【実施例】
【００１２】  以下、本考案の実施例を図に基づき説明する。図２はメリヤスのようなストレッチ素材を使用した動物装着用衣服（１）の共布を使用したカメラポケット（２）、録音機能付カメラ（３）、カメラレンズが覗くカメラポケット（２）の前方部の穴（４）、カメラ（３）と発信機（８）を繋ぐケーブル（６）とそれが通るカメラポケット（２）の後方下部の穴（５）を示す図である。カメラポケット（２）は動物装着用衣服（１）に縫い付けられ、カメラ（３）はその中に設置されるが、カメラ（３）が外に飛び出ないようにするためカメラレンズ（７）だけが前方部の穴（４）から出るよう穴の直径を小さくしてカメラ（３）本体を内部に納める。カメラ（３）から発信機（８）に繋がるケーブル（６）は後方下部の穴（５）から出て動物装着用衣服（１）の内側を通り発信機（８）に繋がる。【００１３】  図３は動物装着用衣服（１）の共布を使用した発信機ポケット（９）、それに内蔵する発信機（８）、カメラ（３）から出てきたケーブル（６）を発信機（８）への接続を示す図である。発信機ポケット（９）は動物装着用衣服（１）に縫い付けられ、発信機（８）を入れるために上方向に開口部（１０）が設けられ、発信機（８）は開口部（１０）から発信機ポケット（９）に内蔵されるが、発信機ポケット（９）の外側は動物装着用衣服（１）と同じ素材のストレッチ素材を使用しているので発信機（８）を包み込み、発信機（８）は外に飛び出すことがない。カメラ（３）と繋ぐケーブル（６）は発信機（８）に接続され動物装着用衣服（１）に開けられた穴（１１）から内側を通ってカメラ（３）に繋がる。【００１４】  図６は動物装着用衣服（１）を示す展開図である。動物装着用衣服（１）の素材は伸縮性のあるストレッチ素材であるのでファスナーを取り付けることもなく筒状の衣服を動物の頭から通して着せることが可能となり、ファスナーで動物の毛を取り巻くこともなく動物にやさしい衣服である。また、ストレッチ素材は動物の体をやさしく包み込むために苦痛を与えることもなく、さらには横ズレを防止する。動物の耳と前脚の部分に穴を開けてそれらを通すことにより、横ズレ防止をさらに強化することができる。これにより動物の頭頂部に位置するカメラ（３）を常に一定の方向に保ち動物の視線と同じ映像を確保できるとともに、動物装着用衣服全体のズレを防止するので発信機（８）が発信機ポケット（９）から離脱することも防ぐことができる。【００１５】  図１は動物装着用衣服の着用の犬を例示とした側面図であるが、犬に限らず四脚動物全体に適用可能である。【００１６】  本考案は、カメラ（３）を動物の頭頂部に設置することにしたが、その理由は動物の視線を常に映像として捉えることが重要であり、その意味で動物の頭頂部が最良の位置であり、また動物に苦痛を与えない最良の場所であるからである。また発信機（８）を動物の前脚肩の上部に設置する理由は、動物のどの部分に設置しても発信機（８）の機能は同じであるが動物の体の動きを考えた場合振動がもっとも少なく、動物に苦痛を与えない最良の場所であるからである。【００１７】  本考案は動物の行動を監視する目的をもって考案されたものであるが、動物と一緒に移動するため、また動物の視線と常に同じ映像が得られることから不審物、侵入者の発見に役立ち防犯としての効果を得ることができる。さらには、被災地で人間が立ち入れない倒壊した家屋の中の生存者発見に活躍することができる。
【産業上の利用可能性】
【００１８】  本考案は例示した犬以外にも四脚動物全体に応用することが可能であり、不審物の発見、侵入者の阻止、あるいは映像提供による捜査協力の一旦を担うことができる。さらには災害の被災地における救助活動にもその役割は大きい。
【図面の簡単な説明】
【００１９】
【図１】  動物装着用衣服の犬を例示とした側面図
【図２】  カメラポケット
【図３】  発信機ポケット
【図４】  カメラ、発信機を装着した犬の前面図
【図５】  カメラと発信機を繋ぐケーブルを示す犬の上空図
【図６】  動物装着用衣服の展開図
【符号の説明】
【００２０】  １  動物装着用衣服
２  カメラポケット
３  カメラ
４  カメラポケットのカメラレンズ用穴
５  カメラポケットのケーブル排出穴
６  カメラと発信機を繋ぐケーブル
７  カメラレンズ
８  発信機
９  発信機ポケット
１０  発信機ポケット開口部
１１  発信機ポケットのケーブル排出穴
１２  動物の右前脚をくぐらせる穴
１３  動物の左前脚をくぐらせる穴
【図１】
0003117441.tif 000003
【図２】
0003117441.tif 000004
【図３】
0003117441.tif 000005
【図４】
0003117441.tif 000006
【図５】
0003117441.tif 000007
【図６】
0003117441.tif 000008